(57)【要約】ここで提供されているのは、インターネット、移動無線等の通信網を介して、配布先リストに含まれている受信者のうち選択された受信者へ、データ、とりわけ電子的なテキストメッセージを伝送するための方法である。本方法は、配布先リストを管理するネットワークエレメントで、データ転送前に、伝送すべきデータに添付される除外リストによって配布先リストを自動的に調整することを特徴とする。
2004518386.tif 000002
【特許請求の範囲】
【請求項１】
通信網を介してデータを、配布先リストに含まれている受信者のうち選択された受信者へ伝送するための方法であって、
たとえばインターネット、移動無線等を介して、特に電子的なテキストメッセージを伝送するための方法において、
配布先リストを管理するネットワークエレメントで、データ転送前に、伝送すべきデータに添付された除外リストによって配布先リストを自動的に調整することを特徴とする方法。
【請求項２】
前記除外リストを付加的なヘッダフィールドによって実現する、請求項１記載の方法。
【請求項３】
配布先リストを管理するネットワークエレメントは配布先リストの調整前に、除外リストが存在するか否かを検査する、請求項１または２記載の方法。
【請求項４】
付加的なヘッダフィールドは、ＲＦＣ８２２標準ヘッダフィールドとして設けられている、請求項１から３までのいずれか１項記載の方法。
【請求項５】
付加的なヘッダフィールドを、マルチメディアメッセージングサービス（ＭＭＳ）でＭＭＳエンキャプシュレーション標準方式に従ってコード化する、請求項１から３までのいずれか１項記載の方法。
【請求項６】
前記付加的なヘッダフィールドをコード化するため、１６進法のコード化を使用する、請求項５記載の方法。
【請求項７】
前記コード化のために、１６進法コード化０ｘｌＦ（１０進法では３１）を使用する、請求項６記載の方法。
【請求項８】
付加的なヘッダフィールドの入力をテキストストリングとしてコード化する、請求項２から５までのいずれか１項記載の方法。
【発明の詳細な説明】
【０００１】
本発明は、請求項１の上位概念に記載された、通信網を介してデータを伝送するための方法に関する。
【０００２】
インターネットを介して所定の受信者へ目的に応じてデータを伝送することないしはＥメールを送信することの重要性は、ここ数年ますます大きくなってきている。それに相応することが、既存のＧＳＭ移動無線網を介してのテキストメッセージ、いわゆるショートメッセージ（ＳＭＳ）の送信に関しても当てはまる。
【０００３】
次世代の移動無線システム、いわゆるＵＭＴＳネットワーク（Ｕｎｉｖｅｒｓａｌ Ｍｏｂｉｌｅ Ｔｅｌｅｃｏｍｍｕｎｉｃａｔｉｏｎ Ｓｙｓｔｅｍ）に対しても、同様のメッセージシステムが設けられている。ここではとりわけ、移動メッセージサービスのマルチメディア対応のバリエーション、いわゆるＭＭＳ（Ｍｕｌｔｉｍｅｄｉａ Ｍｅｓｓａｇｉｎｇ Ｓｅｒｖｉｃｅ）が設けられている。したがって、インターネットですでに得られるＥメール通信の利点を、移動メッセージサービスでの使用に対しても利用できるようにしなければならない。
【０００４】
電子ポスト（Ｅメール）をＩＰネットワーク（ＩＰ−インターネットプロトコル）内またはＩＰネットワーク間で送信する場合、優先的に２つのネットワークエレメントがアクティブ状態にある。
【０００５】
まず、ＵＡ（ＵＡ−Ｕｓｅｒ Ａｇｅｎｔ）において電子ポストが作成される。すなわち、テキストが作成される。場合によってはファイルが添付され、アドレッシングが実行される。
【０００６】
続いて、電子ポストはＵＡから公知のＭＴＡ（ＭＴＡ−Ｍｅｓｓａｇｅ Ｔｒａｎｓｆｅｒ Ａｇｅｎｔ）へ送信される。このＭＴＡから、電子ポストは種々の別のＭＴＡを介してネットワークによって、受信者のＥメールシステムへ伝送される。
【０００７】
送信者が１つの同一の電子的な郵便配達物（ｅｌｅｋｔｒｏｎｉｓｃｈｅ Ｐｏｓｔｓｅｎｄｕｎｇ）を複数の受信者へ送信したい場合、送信者はすべてのアドレスを有する配布先リストを設け、電子的郵便配達物の送信時には、アドレッシングするために相応の配布先リストを受信者アドレスとして使用することができる。配布先リストを管理するネットワークエレメントへ電子的郵便配達物が送達されると、該ネットワークエレメントにおいてこの配布先リストの個々のメンバーに対し、専用の電子的郵便配達物が形成されて個別に伝送される。
【０００８】
配布先リストは種々のネットワークエレメント上で、つまり局所的にＵＡにおいて、送信者のＭＴＡにおいて、またはいわゆるリフレクタであるネットワークサーバ上のどこかに設けることができる。これに相応して、配布先リストがアドレス指定された電子的郵便配達物から、送信者のＵＡにおいて、送信者のＭＴＡにおいて、またはリフレクタを管理するサーバに到達した後初めて、複数のコピーが形成されて個々の郵便配達物として伝送される。
【０００９】
電子的郵便配達物はヘッダおよびボディから成る。ヘッダには、ＭＴＡが電子的郵便配達物を転送するのに必要なデータが含まれており、それに対してボディは本来のメッセージを含んでいる。同様の原理に従って、マルチメディアメッセージも構成される。ＭＭＳにおいても、別のＭＭＳ専用のヘッダの他にＲＦＣ標準ヘッダフィールドが使用されるように構成されている。
【００１０】
配布先リストの選択された受信者へデータないしは電子ポストを伝送するための従来の公知の方法における欠点は、こうするために選択された受信者のすべてのアドレスを別個に入力しなければならないことである。つまり、配布先リストの少数の受信者を送信先から除外すべき場合、配布先リストが使用できなくなることである。
【００１１】
したがって本発明の課題は、通信網を介してデータを、とりわけ電子的なテキストメッセージを伝送するための以下のような方法を提供することである。すなわち、同時に配布先リストを使用する場合でも、配布先リストに含まれた受信者のうち選択された受信者に限定することができる方法を提供することである。
【００１２】
前記課題は、独立請求項１の構成によって解決される。従属請求項の構成により、目的に適った実施例が説明されている。
【００１３】
ここで提供されているのは、配布先リストに含まれた受信者のうち選択された受信者へ通信網を介してデータを伝送するための方法であって、配布先リストを管理するネットワークエレメントでデータ転送前に、伝送すべきデータに添付された除外リストによって配布先リストの自動的な調整を実行することを特徴とする方法である。ここで伝送されるデータは、とりわけヘッダおよびボディから成る電子的なテキストメッセージであり、データを伝送するために使用される通信網は、インターネット、移動無線等である。
【００１４】
除外リストは、有利には付加的なヘッダフィールドによって実現されている。ここでは付加的なヘッダフィールドは、ＲＦＣ８２２標準ヘッダフィールドとして構成されている。しかしマルチメディアメッセージングサービス（ＭＭＳ）では、この付加的なヘッダフィールドをＭＭＳエンキャプシュレーション標準方式（ＭＭＳ−Ｅｎｃａｐｓｕｌａｔｉｏｎ Ｓｔａｎｄａｒｄｓ）に従ってコード化することもできる。ここでは、たとえば０ｘｌＦ（１０進法では３１）等の１６進法コード化を使用することができる。しかし、付加的なヘッダフィールドをテキストストリングとしてコード化することもできる。
【００１５】
有利には本方法は、配布先リストを管理するネットワークエレメントが該配布先リストの調整前に、そもそも除外リストが存在するか否かということを検査するように構成されている。
【００１６】
本発明に基づく本方法により、大幅な簡易化が実現される。
【００１７】
電子的郵便配達物が配布先リストの１００個のアドレスのうち９９個へ送信されると仮定すると、従来の技術によれば、送信者は９９個の受信者アドレスを個別に入力しなければならない。
【００１８】
しかし本発明の方法によれば、送信者は受信者アドレスとして、ここでも通常通りに配布先リストを指定し、別個のフィールドにおいて付加的に、電子的郵便配達物の送信先から除外すべき受信者のアドレスを指定することができる。こうすることによって、とりわけ電子的郵便配達物のアドレッシングが格段に楽になる。
【００１９】
しかし本発明による方法は、とりわけ移動無線システムを介して電子ポストを送信する際に有利である。というのも、移動無線機器とベースステーションとの間で非常に高価なエアインターフェースを介して伝送する際のデータ量を格段に低減することができるからである。このことは、技術的にも経済的にも非常に有利である。
【００２０】
本発明の別の特徴および利点は、本方法の実施形態についての以下の説明において、添付された図面に関連して記載されている。
【００２１】
図面
図１  配布先リストの概略的な例である。
【００２２】
図２  配布先リストの選択されたアドレスへ伝送する場合の従来のアドレッシングを示している。
【００２３】
図３  配布先リストの選択されたアドレスへ伝送する場合の、本発明によるアドレッシングを示している。
【００２４】
図１は配布先リストを概略的に示している。このような配布先リストは、たとえばＥメール、ＳＭＳ、ＭＭＳ等の電子メッセージのグループ送信のために使用することができる。この配布先リストには、ここに示されているように、９人（Ｂ〜Ｊ）のアドレスがまとめられている。
【００２５】
配布先リストに含まれている受信者グループへ問い合わせを、アドレスＤおよびアドレスＨを除外して送信したい場合、現在のところ、問い合わせを受信すべき配布先リストのすべてのアドレスを個別に指定するという唯一の手段しか存在しない。
【００２６】
この状況は図２に示されている。従来の技術によれば、このケースのためのＥメールのヘッダは次のような形態である。記号「Ｔｏ」を有するＲＦＣ８２２標準ヘッダフィールドには７個（＝９−２）の受信者アドレス、すなわち図１に示された配布先リストの９個のアドレスが、アドレスＤおよびＨを除外して個別に入力されている。
【００２７】
配布先リストに含まれた受信者のうち選択された受信者へインターネット、移動無線等の通信網を介してデータを伝送するための本発明による方法では、配布先リストを管理するネットワークエレメントで、データ転送前に、伝送すべきデータに添付される除外リストによって配布先リストが自動的に調整される。本発明に従ってこの方法を実施する場合、送信者は通常のように、電子的な問い合わせ、Ｅメールまたは伝送の受信アドレスとして、図１に示された配布先リストを指定し、電子的な問い合わせの送信先から除外すべき受信者を指定する。この状況は、概略的に図３に示されている。
【００２８】
この場合、記号「Ｔｏ」を有するヘッダフィールドには、通常のように配布先リストの名前のみが存在する。この配布先リストの名前を、ここでは「友人」とする。除外すべき受信者のアドレスは、改めて挿入されたヘッダフィールドに示される。このヘッダフィールドは、たとえば記号Ｅｘｃ（ｅｘｃｌｕｄｅより）を有しているが、他のすべての有意な記号を有することもできる。
【００２９】
ネットワークエレメント、ＵＡ、ＭＴＡ、または管轄領域内で配布先リストの評価が実行されるサーバは、電子ポストの受信後にまず、フィールドＥｘｃが存在するか否か、および該フィールドＥｘｃに存在する受信者アドレスが実際に配布先リストにも含まれているか否かを検査する。もしそうであれば、前記受信者アドレスは、個別の受信アドレスへの個々のポスト配布物の次の送信から除外される。
【００３０】
上記の例では、付加的なヘッダフィールド「Ｅｘｃ」はＲＦＣ８２２標準ヘッダフィールドとして挿入された。この付加的なヘッダフィールドは択一的にまたは補足的に、移動無線においてＭＭＳ通信のために実現することもできる。領域ＭＭＳ内の付加的なヘッダフィールドのための可能な記号は、たとえば記号Ｘ−ＭＭＳ−Ｅｘｃｌｕｄｅである。
【００３１】
ＭＭＳにおけるヘッダフィールドは、ＭＭＳエンキャプシュレーション標準方式によって効率的にコード化することができる。新たな付加的なヘッダフィールドをコード化するためには、たとえば１６進法のコード化０ｘｌＦ（１６進法では３１）が考えられる。さらに、新たなフィールドの入力をテキストストリングとしてコード化することも考えられる。
【図面の簡単な説明】
【図１】
配布先リストの概略的な例である。
【図２】
配布先リストの選択されたアドレスへ伝送する場合の従来のアドレッシングを示している。
【図３】
配布先リストの選択されたアドレスへ伝送する場合の、本発明によるアドレッシングを示している。
【図１】
2004518386.tif 000003
【図３】
2004518386.tif 000004
【国際公開パンフレット】
2004518386.tif 000005
2004518386.tif 000006
2004518386.tif 000007
2004518386.tif 000008
2004518386.tif 000009
2004518386.tif 000010
2004518386.tif 000011
2004518386.tif 000012
2004518386.tif 000013
2004518386.tif 000014
2004518386.tif 000015
【国際調査報告】
2004518386.tif 000016
2004518386.tif 000017
2004518386.tif 000018
2004518386.tif 000019